(57)【要約】      （修正有）【課題】市中で気軽に使えるような作りで安価に入手可能な、息苦しさや圧迫感を感じることのないフェイスシールドを提供する。【解決手段】透明プラスチック材料からなるシールド部１と、シールド部を支持する前額部の固定部材２とからなるフェイスシールドであって、シールド部の上方両端部及び前額部の固定部材略両端部に、孔を設け、シールド部の両端部に設けられた孔の間隔が固定部材に設けた孔の間隔よりも広くなるようにして、孔にボタンプラスチック５を用いてシールド部を固定部材に軸支させることにより、シールド部が固定部材よりも前方に膨らみ、固定部材とシールド部の間が離間するようにした。【選択図】図１
0003229191.tif 000002
【実用新案登録請求の範囲】
【請求項１】
少なくとも、透明プラスチック材料からなるシールド部、当該シールド部を支持する前額部の固定部材からなるフェイスシールドにおいて、
前記シールド部の上方両端部及び前記前額部の固定部材略両端部に、
孔の間隔が、前記顔面シールド部の両端部に設けられた孔の間隔が前記前額部の固定部材に設けた孔の間隔よりも広くなるように穿孔部を設け、
当該穿孔部にボタンプラスチックを用いて前記シールド部を前記前額部の固定部材に軸支させることにより、
前記シールド部が前記前額部の固定部材よりも前方に膨らみ、前記前額部の固定部材と前記シールド部の間が離間しているフェイスシールド
【請求項２】
請求項１記載のフェイスシールドを製作するための平板状のキットであって、少なくとも、
上方両端部に孔を穿孔した透明プラスチック材料からなるシールド部、
当該シールド部に穿孔した孔に対応し前記シールドを軸支するための孔を穿孔した前額部の固定部材、
前記両孔に挿入して前記シールドと前記前額部の固定部材を軸支連結するためのボタンプラスチック、からなるフェイスシールド製作キット
【考案の詳細な説明】
【技術分野】
【０００１】本考案は、飛沫感染防止のためのフェイスシールドに関するものである。
【背景技術】
【０００２】新型コロナウイルス感染症の感染者の増大によって各種衛生資材のニーズが高まり入手困難となっている。特に直接感染者に対処する医療関係者を守る衛生資材の不足が大きな問題となっており、飛沫感染を防ぐための衛生資材として、マスクに加えてフェイスシールドも不足している。また、直接感染者に接する医療関係者のみならず、接客を行う業種においてもフェイスシールドの需要が高まっている。一方、一般的なフェイスシールドは医療従事者の使用を念頭においているため、接客を行う業種で使用した場合、息苦しさや圧迫感を感じるものであった。
【特許文献】
【０００３】
【特許文献１】特表２００９−５３４１２０号公報
【特許文献２】登録実用新案第３２２４６３５号公報
【考案の概要】
【考案が解決しようとする課題】
【０００４】従来から、シールド部を顔面から退避させ得るフェイスシールドは文献１，２に見られるように公知であるものの、医療用であるためにしっかりとした作りで圧迫感や閉塞感があるとともに高価であったり、工事現場でヘルメットに取り付けて用いるような作りのものであって、市中で圧迫感を感じることなく気軽に使えるような作りで、安価に入手可能なフェイスシールドはなかった。
【課題を解決するための手段】
【０００５】そこで、本考案では市中で圧迫感を感じることなく気軽に使えるような作りで安価に入手可能なフェイスシールドを提供するため、ホームセンター等で一般に入手可能な材料のみを使って、シールド部を前額部の固定部材から離隔させ得る構造として、息苦しさや圧迫感を感じることなく、接客を行う業種でも手軽に使用できるようなフェイスシールドを提供する。
【図面の簡単な説明】
【０００６】
【図１】本考案フェイスシールドの斜視図（写真代用）
【図２】本考案フェイスシールドの部品図
【考案を実施するための形態】
【０００７】図１は、本考案フェイスシールドの全体であって、（ａ）、（ｂ）はそれぞれシールド部１を顔面前面に配した状態の図、顔面から退避させた状態の図を示している。フェイスシールドはシールド部１を軸支する支持部となる前額部の固定部材２、固定部材２が着用者の前額部と当節する部分に設けられたスポンジ部３、固定部材２を頭部に把持させるためのゴム部材４、固定部分２にシールド部１を軸支するためのボタンプラスチック５からなる。シールド部１の上方両端部には孔が穿孔されるとともに、固定部材２にも、シールド部１の端部をボタンプラスチック５を用いて軸支するための孔が穿孔されている。ここで、シールド部１の両端部に設けられた孔の間隔を固定部材２に設けた孔の間隔よりも広くしてある。そのため、固定部分２にシールド部１を軸支した状態ではシールド部１が固定部材２よりも前方に膨らみ、前額部の固定部分２とシールド部１の間が離間する。
【実施例】
【０００８】シールド部１は型紙に沿ってＰＥＴ、アクリル等の透明プラスチック素材を型抜きしたもので、顔面の大きさに応じて適宜設定可能であり、顎が隠れる程度の大きさにすることにより、より飛沫感染防止効果が高まる。また、透明プラスチック素材の厚さは、長時間装着時の疲労を考慮すると、軽量化のため０．２ｍｍ程度が適切（ＰＥＴの場合）と考えられ、縦横２５ｃｍ×３２ｃｍ程度、両端の穿孔部間の間隔は３０ｃｍ程度が適当と考えられるが、これに限るものではなく、顔面の大きさに対応するため、各端部に複数の孔を穿孔して調整できるようにしてもよい。穿孔する孔の径は、軸支するために用いるボタンプラスチック５の軸径に応じて決定すれば良い。【０００９】前額部の固定部材２もシールド部１と同様に型紙に沿ってＰＥＴ、アクリル等のプラスチック素材を帯状に型抜きたもので固定部材は必ずしも透明である必要はない。シールド部の重量を軸支して支えるため、厚さはシールド部１よりも厚く０．３ｍｍ程度が適切と考えられる。幅は３〜４ｃｍ程度、長さは３０ｃｍ程度が適当であり、両端にシールド部１を軸支するための孔及び、頭部に保持させるためのゴム部材４を通すための孔が穿孔されている。シールド部１を軸支するための孔径も、シールド部１の径と同様である。穿孔部間の間隔は２４ｃｍ程度が適当と考えられる。
スポンジ部３は発泡ウレタンゴム等の柔軟な素材を用いれば良く、厚さ１ｍｍ、幅３ｃｍ長さは２０ｃｍ程度が適当である。
ゴム部材４は市販されている丸ゴムでよいが、頭部を締め付けない程度に弾性が大きいものが良い。ゴム部材の端部を固定部材２に通した後で通した端部を結ぶことができるよう、長めに設定すると良いが、４０ｃｍ程度が適当である。なお、前額部の固定部材２を頭部に保持させる手段は、ゴム部材に限らず、長めに形成した固定部材の両端部に嵌合可能な切れ込みを複数設け、頭部の周囲長に応じて切れ込み同士を嵌合させるような態様でもよいことはもちろんである。【００１０】ボタンプラスチック５は、係合、離隔自在の樹脂材料からなるホック様部材であって、一方に設けられた軸部に他方に設けられた孔部を圧入嵌合させることにより一体化させ得るもので、ホックボタン等の名称で市販されているものを用いれば良く、その軸径は２ｍｍ程度が適当である。
なお、本実施例で示した寸法等は例示であって、これに限るものではない。
【考案の効果】
【００１１】本考案によると、次のような効果が期待できる。
・一般に市販されている材料のみを用いているため、誰でも安価に製作が可能で、飛沫感染防止効果を容易に得ることができる。
・前額部の固定部材２とシールド部１の距離が離間しているため、呼気がシールド部１と固定部材２の間から逃げ場が形成され、シールド部のくもりを防ぐことができる。特に、眼鏡やマスクをしていてもシールド部の曇りを回避することができる。
・シールド部１の固定部材２への軸支手段としてボタンプラスチック５を使うことにより、シールド部１を顔面前面から頭頂部に向けて上下に回動可能でき、シールドの必要がないときにシールド部１のみを顔面前面から退避させてフェイスシールド装着による圧迫感を回避できる。
・シールド部１を固定するための孔を複数個設けることにより、使用する人の顔や頭の大きさに合わせてサイズの変更することができる。
・シールド部１は透明プラスチック素材のため、適時にアルコール消毒、洗浄が容易に行える。
【００１２】・シールド部１の固定部材２への軸支連結にボタンプラスチック５を用いているため、シールド部１、前額部の固定部材２、スポンジ部３、ゴム部材４、ボタンプラスチック５の各部材を１セットとして組み立て前のキットとして平板状で流通、保管等が可能となり、省スペース化を図ることができる。
【産業上の利用可能性】
【００１３】本考案によれば、息苦しさや圧迫感を感じることのないフェイスシールドを、医療関係者のみならず、接客を行う業種一般においても安価に提供することができる。
また、組み立て前の平板状の形態で流通・備蓄が可能で、省スペース化に貢献できる。
【符号の説明】
【００１４】１はシールド部
２は前額部の固定部材
３はスポンジ部
４はゴム部材
５はボタンプラスチック
【図１】
0003229191.tif 000003
【図２】
0003229191.tif 000004
【手続補正書】
【提出日】令和2年8月8日(2020.8.8)
【手続補正１】
【補正対象書類名】実用新案登録請求の範囲
【補正対象項目名】請求項１
【補正方法】変更
【補正の内容】
【請求項１】
少なくとも、透明プラスチック材料からなるシールド部、当該シールド部を支持する前額部の固定部材からなるフェイスシールドにおいて、
前記シールド部の上方両端部及び前記前額部の固定部材略両端部に、
孔の間隔が、前記シールド部の両端部に設けられた孔の間隔が前記前額部の固定部材に設けた孔の間隔よりも広くなるように穿孔部を設け、
当該穿孔部にボタンプラスチックを用いて前記シールド部を前記前額部の固定部材に軸支させることにより、
前記シールド部が前記前額部の固定部材よりも前方に膨らみ、前記前額部の固定部材と前記シールド部の間が離間しているフェイスシールド